(57)【要約】      （修正有）【課題】被固定部材の裏面側が狭いような場合でも表面側から緩み止め作業が容易に行え、また、被固定部材を容易に分離できると共に、再使用することも可能な歩行用下肢装具用の緩み止めボルトを提供する。【解決手段】頭部から先端まで貫通孔２２ｂが形成されたボルト２と、ボルト２の雄ネジ２２ａが螺合される第１の雌ネジ３１ｂが形成されると共に先端側に底板部３２が形成され、該底板部の中央部に第１の雌ネジとはピッチが異なる第２の雌ネジ３２ａが形成されたナット３と、ボルト２の頭部から貫通孔に装入され先端が第２の雌ネジに螺合される小ボルト１とより緩み止めボルトを構成する。ボルト２を被固定部材の表面側より挿通して裏面側に配置されたナット３の第１の雌ネジに螺合締め付け、その後に小ボルト１をナットの底板部に形成されている第２の雌ネジに螺合固定する。【選択図】図１
0003186719.tif 000002
【実用新案登録請求の範囲】
【請求項１】
頭部から先端まで貫通孔が形成されたボルトと、該ボルトの雄ネジが螺合される第１の雌ネジが形成されると共に先端側に底板部が形成され、該底板部の中央部に前記第１の雌ネジとはピッチが異なる第２の雌ネジが形成されたナットと、前記ボルトの頭部から前記貫通孔に装入され先端が前記第２の雌ネジに螺合される小ボルトとより構成し、前記ボルトを被固定部材の表面側より挿通して裏面側に配置されたナットの第１の雌ネジに螺合締め付け、その後に小ボルトを前記ナットの底板部に形成されている第２の雌ネジに螺合固定して緩み止めしたことを特徴とする緩み止めボルトを用いた歩行用下肢装具。
【請求項２】
前記ナットにおける前記底板部の形状を多角形、楕円形、小判形等の真円形状以外の形状となし、この底板部を前記被固定部材に形成された凹部に非回転状態で嵌め込んだことを特徴とする請求項１記載の緩み止めボルトを用いた歩行用下肢装具。
【請求項３】
前記第１の雌ネジのピッチが１ｍｍで、前記第２の雌ネジのピッチが０．５ｍｍであることを特徴とする請求項１記載の緩み止めボルトを用いた歩行用下肢装具。
【考案の詳細な説明】
【技術分野】
【０００１】
本考案は、２つの部材からなる被固定部材を、ネジ止め固定するためにボルト・ナットによって行った時に、ボルトに螺合されたナットとの緩みを防止する緩み止めボルトの改良に関する。
【背景技術】
【０００２】
従来におけるボルト・ナットの締め具合の緩み止め構造としては、例えば、特開平８−２４７１２９号公報に記載された発明がある。この発明は、ボルトと、該ボルトの雄ネジ部に螺合される雌ネジが形成されると共に前記雄ネジとピッチが異なる雄ネジが形成された突出部とを有するメインナットと、該メインナットの前記雄ネジに螺合するサブナットとより構成されている。
【０００３】
このように構成された緩み止めボルトは、被固定部材を重ねた状態で該被固定部材に開口さている孔にボルトを挿通し、挿通されたボルトの雄ネジにメインナットの雌ネジを螺合して締め付け、その後にサブナットをメインナットの雄ネジに螺合し締め付け固定するものである。
【０００４】
このような構造であることから、サブナットの雌ネジと雄ネジのピッチの違いからネジの前進距離の違いを生じ、ネジ接面で突出部が変形して、この弾性作用によりボルトの雄ネジ部とサブナットの雌ネジとがより強力に密着圧接されることになり、ボルトの軸の周りにおける戻り応力が増加し、多少の振動では回ることがなく緩みを防止することが可能となる。
【０００５】
また、他の従来例として、特開平９−５３６２５号公報に記載された発明がある。この発明は、ボルトに先端に向かって孔径が小さくなる貫通孔を形成すると共に雄ネジの先端にスリットを形成して拡がり片部を設け、被固定部材に形成されている孔に前記ボルトを挿通すると共にボルトの雄ネジにナットを螺合すると共に前記拡がり片部を前記ナットより突出させた状態で、前記ボルトの貫通孔に挿通杆を圧入することでボルトの先端を拡開させようとするものである。
【０００６】
このような構造であることから、激しい振動や衝撃が歩行用下肢装具のボルト・ナットに継続的に加わってもボルトの先端が拡開されていることから、ナットがボルトに対して回転することがなく緩みを防止することが可能となる。
【先行技術文献】
【特許文献】
【０００７】
【特許文献１】特開平８−２４７１２９号公報
【特許文献２】特開平９−５３６２５号公報
【考案の概要】
【考案が解決しようとする課題】
【０００８】
ところで、先行技術文献１である特開平８−２４７１２９号公報の発明にあっては、被固定部材の表面側からボルトを挿通し、裏面側からボルトの先端にメインナットを螺合して締め付け、次いで、メインナットの突出部にサブナットを螺合し、該サブナットにスパナーやレンチを用いて被固定部材の裏面側から係合して締め付ける作業を行うこととなるため、被固定部材の裏面側が狭いような場合には前記締め付け作業が非常に困難になるといった問題があった。
【０００９】
また、先行技術文献２である特開平９−５３６２５号公報の発明にあっては、ボルトにナットを締め付け固定した後は、ボルトの頭部側からボルトの貫通孔に挿通杆を圧入することで緩み止めを行うことが可能であり、前記先行技術文献２の発明のような被固定部材の裏面側から締め付ける作業を行わなければならないといった問題は発生しないが、一度セットした後に被固定部材を分離する必要が生じた場合には、貫通孔から挿通杆を抜き取ることが非常に困難であると共にボルトや挿通杆を再利用することができず、被固定部材を頻繁に取外したり、交換したりするものに利用することができないといった問題があった。
【００１０】
本考案は前記した問題点を解決せんとするもので、その目的とするところは、被固定部材に対して表面側からボルトを挿通してナットの第１の雌ネジに螺合固定した後に、ボルトの頭部側から貫通孔に小ネジを挿通してナットの底部に形成された第２の雌ネジに螺合固定することで緩み止めが行えるので、被固定部材の裏面側が狭いような場合でも表面側からの作業のみによって緩み止めが行えるので緩み止め作業が容易に行え、また、被固定部材を頻繁に分離する必要がある場合でもネジ止め状態を容易に解除して分離できると共に、緩み止めボルトを再使用することも可能な緩み止めボルトを用いた下肢装具を提供せんとするにある。
【課題を解決するための手段】
【００１１】
本考案の下肢装具に用いる緩み止めボルトは前記した目的を達成せんとするもので、請求項１の手段は、頭部から先端まで貫通孔が形成されたボルトと、該ボルトの雄ネジが螺合される第１の雌ネジが形成されると共に先端側に底板部が形成され、該底板部の中央部に前記第１の雌ネジとはピッチが異なる第２の雌ネジが形成されたナットと、前記ボルトの頭部から前記貫通孔に装入され先端が前記第２の雌ネジに螺合される小ボルトとより構成し、前記ボルトを被固定部材の表面側より挿通して裏面側に配置されたナットの第１の雌ネジに螺合締め付け、その後に小ボルトを前記ナットの底板部に形成されている第２の雌ネジに螺合固定して緩み止めしたことを特徴とする。
【００１２】
請求項２の手段は、前記した請求項１において、前記ナットにおける前記底板部の形状を多角形、楕円形、小判形等の真円形状以外に形状となし、この底板部を前記被固定部材に形成された凹部に非回転状態で嵌め込んだことを特徴とする。
【００１３】
請求項３の手段は、前記した請求項１において、前記第１の雌ネジのピッチが１ｍｍで、前記第２の雌ネジのピッチが０．５ｍｍであることを特徴とする。
【考案の効果】
【００１４】
本考案は前記したように、ボルトを被固定部材の表面側より挿通して裏面側に配置されたナットの第１の雌ネジに螺合締め付け、その後に小ボルトを前記ナットの底板部に形成されている第２の雌ネジに螺合固定することで、被固定部材による激しい振動や衝撃が継続的に加わってもナットがボルトに対して回転することがなく緩みを防止することが可能となり、かつ、被固定部材の裏面側が狭いような場合でも表面側からの作業のみによって緩み止めが行えるので緩み止め作業が容易に行え、また、被固定部材を頻繁に分離する必要がある場合でもネジ止めを容易に解除して分離できると共に緩み止めボルトを再使用することも可能となる。
【００１５】
さらに、ナットにおける底板部の形状を多角形、楕円形、小判形等の真円形状以外に形状となし、この底板部を被固定部材に形成された凹部に非回転状態で嵌め込むことにより、ナット自体がボルトに対して回転することが防止されることになるから、緩み止めがより確実に行われる等の効果を有するものである。
【図面の簡単な説明】
【００１６】
【図１】本考案の緩み止めボルトにおけるボルト、ナット、小ボルトを分離した状態の断面図である。
【図２】小ボルトを示し、（ａ）は平面図、（ｂ）は正面図である。
【図３】ボルトを示し、（ａ）は平面図、（ｂ）は正面図である。
【図４】ナットを示し、（ａ）は平面図、（ｂ）は正面図である。
【図５】２枚の被固定部材を緩み止め状態で固定した断面図である。
【図６】本考案の緩み止めボルトを歩行用下肢装具に使用した状態の斜視図である。
【図７】同上の要部の断面図である。
【考案を実施するための形態】
【００１７】
以下、本考案の緩み止めボルトの一実施例を図面と共に説明する。
１は頭部１１が皿ネジである小ボルトにして、頭部１１には６角ドライバーによって回転可能な穴１１ａが形成され、また、雄ネジ１２のピッチとしては、例えば、０．５ｍｍピッチに形成されている。
【００１８】
２は頭部２１の上面が前記小ボルト１の頭部裏面が入り込む凹部２１ａとマイナスドライバーが係合される溝２１ｂが形成されると共に裏面には段部２１ｃが形成されたボルトにして、該ボルト２には頭部２１から雄ネジ２２ａが形成された軸杆２２に亘り前記小ボルト１の雄ネジ１２が挿通可能な貫通孔２２ｂが形成されている。そして、雄ネジ２２ａのピッチは、前記小ボルト１の雄ネジ１２の２倍の１ｍｍピッチに形成されている。
【００１９】
なお、小ボルト１の雄ネジ１２とボルト２の雄ネジ２２の螺旋方向は同じ方向に形成されている。
【００２０】
３は前記ボルト２の段部２１ｃが嵌合される凹段部３１ａが形成された軸杆３１と、該軸杆３１の先端に多角形、楕円形、小判形等の真円形状以外の形状に形成された底板部３２とからなるナットにして、前記軸杆３１には前記ボルト２の雄ネジ２２に螺合される第１の雌ネジ３１ｂが形成され、また、前記底板部３２には前記第１の雌ネジ３１ｂと連通し、前記小ボルト１の雄ネジ１２が螺合される第２の雌ネジ３２ａが形成されている。なお、図示した底板部３２の形状としては小判形に形成したものが示されている。
【００２１】
次に、前記した部材からなる本考案の緩み止めボルトによって２個の被固定部材Ａ，Ｂを振動や衝撃が加わっても緩みなく固定する手順について説明する。
なお、２枚の被固定部材Ａ，Ｂにおける裏面側の被固定部材Ｂの裏面側には前記ナット３の底板部３２が挿入される穴Ｂ１が形成され、かつ、被固定部材Ａ，Ｂにはナット３の軸杆３１が挿通される孔Ａ１，Ｂ２が開口されている。
【００２２】
そして、前記孔Ａ１，Ｂ２どうしが合致するように重ね合わせた状態で被固定部材Ｂ裏面側から穴Ｂ１に底板部３２が嵌合されるように軸杆３１を挿入する。次いで、ボルト２の軸杆２２を被固定部材Ａの表面側から挿入し、雄ネジ２２ａとナット３の第１の雌ネジ３１ｂとを螺合して締め付け固定する。
【００２３】
次に、小ボルト１の雄ネジ１２をボルト２の貫通孔２２ｂに挿通すると、ナット３の第２の雌ネジ３２ａは貫通孔２２ｂが連通した位置に存在しているので、小ボルト１を第２の雌ネジ３２ａに対して回転すると雄ネジ１２は第２の雌ネジ３２ａに螺合される。そして、小ボルト１をしっかりと締め付けることでボルト２はナット３に緩み止めが施された状態で固定される。
【００２４】
この状態において、被固定部材Ａ，Ｂに対して振動や衝撃力が作用しても、ボルト２の雄ネジ２２とナット３の第１の雌ネジ３１ｂとが螺合されているネジピッチと、小ボルト１の雄ネジ１２とナット３の第２の雌ネジ３２ａとが螺合されているネジピッチとが各々異なることから同一方向への共回りが規制されるので、ボルト２がナット３から抜け出るのを防止されることとなる。
【００２５】
次に、本考案の緩み止めボルトを、脚部麻痺や踝関節の機能障害等によって歩行が困難な人が使用する歩行用下肢装具における下肢支柱と足底板部とを連結する回転軸に関して本願考案にかかるボルト・ナットを使用した場合を図６、図７と共に説明する。なお、歩行用下肢装具の詳細については、本出願人が出願した特開２００２−２９１８２３号公報に開示されている。
【００２６】
図６、図７において、４は歩行が困難な人が履く靴にして、該靴４の左右両側の踝関節の直下位置で支持側板５が上方に立ち上がっている。また、前記支持側板５の上端には前記関節の回動軸位置に合致するように継手板部５ａが形成されている。そして、下肢と結合する下肢カフ６ａを上部に設けた一対の支柱６の下端に固定した結合部材６ｂを、本考案の緩み止めボルトにより前記継手板部５ａと結合して前後方向に揺動可能な継手としたものである。
【００２７】
前記結合部材６ｂと前記継手板部５ａとには貫通孔５ｂ，６ｃが形成されており、かつ、結合部材６ｂの内側には小判形の穴６ｄが形成れている。また、結合部材６ｂの外側にはボルト２の頭部２１が入り込む凹部６ｅが形成されている。
【００２８】
このように形成された穴６ｄ側からナット３の軸杆３１を貫通孔６ｃ，５ｂに差し込み、底板部３２を穴６ｄに嵌め込む。次いで、結合部材６ｂの外側からボルト２をナット３の第１の雌ネジ３１ｂに螺合して締め付けることで支持側板５と支柱６とは一体化されると共に回動自在に軸支される。さらに、ボルト２の貫通孔２２ｂに小ボルト１を挿入しナット３の第２の雌ネジ３２ａに螺合して締め付けることによって緩み止めが施される。
【００２９】
使用者が歩行用下肢装具を装着した状態で歩行を続けると、下肢支柱と足底板部とを連結する回転軸には前進方向および左右方向に大きな負荷がかかり、従来のボルト・ナットでは時間とともに緩みが発生してしまったが、このようにナット３に対してボルト２と小ボルト１とを螺合固定することで、ボルト２とナット３との緩みが発生しなくなることから、緩みにより生じる軋み音などの不快音が解消され、また、ボルト・ナット自体に対する負荷も軽減されるので金属疲労が起こらなくなりボルト・ナットの交換期間が長くなるという効果も生じるのである。
【符号の説明】
【００３０】
１          小ボルト
１１        頭部
１２        雄ネジ
２          ボルト
２１        頭部
２２        軸杆
２２ｂ      貫通孔
３          ナット
３１        軸杆
３１ｂ      第１の雌ネジ
３２        底板部
３２ａ      第２の雌ネジ
【図１】
0003186719.tif 000003
【図２】
0003186719.tif 000004
【図３】
0003186719.tif 000005
【図４】
0003186719.tif 000006
【図５】
0003186719.tif 000007
【図６】
0003186719.tif 000008
【図７】
0003186719.tif 000009
【手続補正書】
【提出日】平成25年8月16日(2013.8.16)
【手続補正２】
【補正対象書類名】実用新案登録請求の範囲
【補正対象項目名】全文
【補正方法】変更
【補正の内容】
【実用新案登録請求の範囲】
【請求項１】
頭部から先端まで貫通孔が形成されたボルトと、該ボルトの雄ネジが螺合される第１の雌ネジが形成されると共に先端側に底板部が形成され、該底板部の中央部に前記第１の雌ネジとはピッチが異なる第２の雌ネジが形成されたナットと、前記ボルトの頭部から前記貫通孔に装入され先端が前記第２の雌ネジに螺合される小ボルトとより構成し、前記ボルトを被固定部材の表面側より挿通して裏面側に配置されたナットの第１の雌ネジに螺合締め付け、その後に小ボルトを前記ナットの底板部に形成されている第２の雌ネジに螺合固定して緩み止めしたことを特徴とする歩行用下肢装具用の緩み止めボルト。
【請求項２】
前記ナットにおける前記底板部の形状を多角形、楕円形、小判形等の真円形状以外の形状となし、この底板部を前記被固定部材に形成された凹部に非回転状態で嵌め込んだことを特徴とする請求項１記載の歩行用下肢装具用の緩み止めボルト。
【請求項３】
前記第１の雌ネジのピッチが１ｍｍで、前記第２の雌ネジのピッチが０．５ｍｍであることを特徴とする請求項１記載の歩行用下肢装具用の緩み止めボルト。